(57)【要約】  【課題】本を読みながら、この本の内容に対応する音声を簡単な方法で再生させ、読むのと聴くのを同時に行って、学習効果の向上を図ることができるようにする。  【解決手段】該本２の内容がページ毎に音声データで蓄積されている音源メモリ１０と、指定されたページに対応する音声データを音源メモリ１０から読み出し、本２に設けたスピーカ１４に送信、又は、別のヘッドホーン３に有する送受信部９を通じて送信する。これら何れかのスピーカ等を通じて発声するためのモジュールとして、音声処理部２Ｂを設ける。【選択図】図２
2007017711.tif 000002
【特許請求の範囲】
【請求項１】
本と、該本の内容がページ毎に音声データで蓄積されている音源メモリと、ページが指定されると該指定されたページに対応する前記音声データを前記音源メモリから読み出し、前記本に設けたスピーカに送信、あるいは、前記本とは別の外部位置に設けたスピーカを有する通信手段を通じて送信し、前記何れかのスピーカを通じて再生するようにしたモジュールとを備えることを特徴とする教習装置。
【請求項２】
上記音源メモリを上記モジュール内に備え、かつ、該モジュールに、指定のページを指定するスイッチと、該スイッチが押されると前記音源メモリから該スイッチに対応した上記音声データを呼び出し、上記スピーカを介して再生する制御手段とを設けたことを特徴とする請求項１記載の教習装置。
【請求項３】
上記モジュールが、上記音声データを上記通信手段に送信する手段として、ブルートゥースを用いていることを特徴とする請求項１または２記載の教習装置。
【発明の詳細な説明】
【技術分野】
【０００１】
本発明は教習装置に関するものであり、特に、教習用の本に設けられている、この本のページに対応するスイッチを操作すると、該ページに対応した音声を再生させることができる教習装置に関するものである。
【背景技術】
【０００２】
本発明は、類似する従来製品はなく、全く新しい技術となり、例えば語学教材用として使用することが考えられる。そこで、語学教材用に使用すると考えた場合、現在、ヒヤリング用のメディアとして、主に本にＣＤ(コンパクトディスク)を添付して販売するという形態が普及している。
【特許文献１】（特になし）
【発明の開示】
【発明が解決しようとする課題】
【０００３】
しかしながら、本にＣＤを添付して販売するという形態は、ＣＤを再生する機器が必要であり、またその再生機器側で音声の再生をコントロールしなくてはならないので、取り扱いが面倒という問題点があった。さらに、本を目で追って見ている位置と、ＣＤの音声再生とのマッチングをとるのが難しく、学習者が本を目で追って見ている位置よりも、ＣＤによる音声再生の方が先行してしまうのが一般的であり、学習効果の面でも問題を有していた。
【０００４】
そこで、本を読みながら、この本の内容に対応する音声を簡単な方法で再生させ、読むのと聴くのとの双方を同時に行って、学習効果の向上を図ることができるようにするために解決すべき技術的課題が生じてくるのであり、本発明はこの課題を解決することを目的とする。
【課題を解決するための手段】
【０００５】
本発明は上記目的を達成するために提案されたものであり、請求項１記載の発明は、本と、該本の内容がページ毎に音声データで蓄積されている音源メモリと、ページが指定されると該指定されたページに対応する前記音声データを前記音源メモリから読み出し、前記本に設けたスピーカに送信、あるいは、前記本とは別の外部位置に設けたスピーカを有する通信手段を通じて送信し、前記何れかのスピーカを通じて再生するようにしたモジュールとを備える教習装置を提供する。
【０００６】
この構成によれば、本のページを指定すると、指定されたページに対応する音声データが、該本に設けたスピーカ、あるいは別の外部位置に設けた通信手段におけるスピーカを通じて発声される。従って、学習者によって指定された本のページ毎に音声が再生されるので、本のページ内容を見る(読む)のと、この本のページ内容に対応した音声とを相互一致させた状態で、効果的に学習等をすることができる。
【０００７】
請求項２記載の発明は、請求項１において、上記音源メモリを上記モジュール内に備え、かつ、該モジュールに、指定のページを指定するスイッチと、該スイッチが押されると前記音源メモリから該スイッチに対応した上記音声データを呼び出し、上記スピーカを介して再生する制御手段とを設けた教習装置を提供する。
【０００８】
この構成によれば、指定のページに対応するスイッチを押すと、音源メモリから該スイッチに対応した音声データが呼び出され、この音声データがスピーカを通して再生される。
【０００９】
請求項３記載の発明は、請求項１または２において、上記モジュールが、上記音声データを上記通信手段に送信する手段として、ブルートゥースを用いている教習装置を提供する。
【００１０】
この構成によれば、無線通信技術であるブルートゥース(Bluetooth)を用いて音源メモリから呼び出された音声データを、外部位置に設けられた通信手段とケーブルを使わずにやり取りすることができる。
【発明の効果】
【００１１】
請求項１記載の発明は、使用者が本のページを指定すると、その指定した本のページ毎に音声が再生されるので、本のページ内容を見るのと、このページ内容に対応した音声を聴くのとを同時に行いながら、効果的に学習等をすることができ、学習効果の向上が期待できる。
【００１２】
請求項２記載の発明は、ページに対応するスイッチを押すと、音源メモリから該スイッチに対応した音声データが呼び出され、この音声データがスピーカを介して再生されるので、請求項１記載の発明の効果に加えて、さらに操作の簡略化が図れる。
【００１３】
請求項３記載の発明は、外部位置に設けられた通信手段とケーブルを使わずに接続し、音源メモリから呼び出された音声データをやり取りすることができるので、請求項１または２記載の発明の効果に加えて、音声データのやり取りを簡略化することができる。
【発明を実施するための最良の形態】
【００１４】
以下、本発明の教習装置について、最良の実施形態をあげて説明する。
【００１５】
本を読みながら、この本の内容に対応する音声を簡単な方法で再生させ、読むのと聴くのを同時に行って学習効果の向上を図るという目的を達成するために、本発明は、本と、該本の内容がページ毎に音声データで蓄積されている音源メモリと、ページが指定されると該指定されたページに対応する前記音声データを前記音源メモリから読み出し、前記本に設けたスピーカに送信、あるいは前記本とは別の外部位置に設けたスピーカを有する通信手段を通じて送信し、前記何れかのスピーカを通じて再生するようにしたモジュールとを備えることにより実現した。
【００１６】
モジュール内には音源メモリを有し、モジュールに指定のページを指定するためのスイッチを具備する。さらに、このスイッチを押すと音源メモリから音声データを呼び出し、スピーカを介して再生する制御手段を設ける。
【００１７】
本発明は、無線データ送受信技術を利用し、音声や音楽などの音をヘッドセットやその他対向機と自由に送受信できる。モジュールを制作し、それを本にセットし一体化する。これにより、モジュールを操作することで、本から音を対向機に音声を送信しうる有用な本、いわゆる音声付きの本となる。音声データを通信手段に送信する手段として、たとえばブルートゥースなどが用いられる。
【００１８】
又、本発明は、本の視覚情報伝達能力に聴覚情報を付加できるものであり、主な用途は語学学習教材、および知育型児童書などであるが、これ以外の書籍分野においても勿論幅広く適用しうる。つまり、本発明は、視覚情報媒体に音声機能を付加することにより、音声情報、聴覚情報を必要とする、あらゆる本媒体に応用しうる新規有用な教習装置である。
【実施例】
【００１９】
図１は本発明の学習装置の一実施例の構造をイメージ的に示す概略構成図である。本実施例は、本と無線データ送受信機とのメディアミックス、すなわち、視覚情報と聴覚情報との同時提供情報媒体を提供するものである。この学習装置１は、学習者Ｍの手元に置かれる本２と、この学習者Ｍの耳部等、本２とは別の外部に配置される通信手段としてのヘッドホーン３とで構成されている。
【００２０】
図２に示すように、ヘッドホーン３は、送受信部３ａを有し、この送受信部３ａを介することによって、音声データを外部の通信手段とケーブルを使わずにやり取りが可能になっている。
【００２１】
本２は、内容が活字で印刷されている冊子部２Ａと、その内容を音声で記録している音声処理部２Ｂとでなる。冊子部２Ａは、図１，図３，図４に示すように、表裏面が表表紙４と裏表紙５とでカバーされ、その間に綴られた複数のページ６と、このページの内容に対応する音声データを処理する上記音声処理部２Ｂとを配置している。
【００２２】
なお、本例では、ページ６の下側に音声処理部２Ｂを配設している。また、音声処理部２Ｂは、図３に示すように、表表紙４が閉じられているとき、この表表紙４で隠され、図１，図４に示すように、表表紙４が開かれると露出される。
【００２３】
音声処理部２Ｂはモジュールを構成しているもので、この音声処理部２Ｂの全体を制御する、マイクロコンピュータで構成された制御部８と、ヘッドホーン３の送受信部３ａと無線通信で信号のやりとりを行う送受信部９と、本２の内容に対応する音声データをページ６毎に記憶している音源メモリ１０とを備え、この他に、スイッチ部１１、音声再生部１２、スピーカ１２ａ、及び液晶表示装置１３等も備える。
【００２４】
また、制御部８と送受信部９とは、ブルートゥースを構成しており、制御部８が音源メモリ１０から呼び出した音声データを、ケーブルを使わずに送受信部９と送受信部３ａの無線通信で、ヘッドホーン３側に送ることができるようになっている。
【００２５】
スイッチ部１１に設けられるスイッチとしては、ページを指定するための０〜９までのテンキー１５と、ヘッドホーン３側でのスピーカ(図示せず)を使用した外部再生と、本２内に配置されたスピーカ１４を使用した内部再生との、何れか一方での再生に切り換えるためのスピーカ切換スイッチ１６等である。
【００２６】
このように構成された学習装置１では、まず、本２の表表紙４と所定のページを開く。そして、その開いたページ６をテンキー１５で指定すると、制御部８は指定されたページ数を液晶表示装置１３に数字で表示するとともに、音源メモリ１０内から指定されたページに対応する音声データを呼び出す。ついで、この音声データをスピーカ切換スイッチ１６の切り換え位置に応じて、ヘッドホーン３あるいは音声再生部１２に送る。
【００２７】
そして、スピーカ切換スイッチ１６が、ヘッドホーン３側に切り換えられているときには、送受信部８及び送受信部３ａを介して、ヘッドホーン３に無線送信され、ヘッドホーン３のスピーカで再生される。反対に、スピーカ切換スイッチ１６が、内蔵のスピーカ１４側に切り換えられているときには、音声再生部１２に送られ、内蔵のスピーカ１４で再生される。
【００２８】
これにより、学習者は、自分の目で実際に追って読んでいるページの内容を、同時に音声で聴きながら学習することができる。また、そのページが終了したら、続いて次ページを指定すると、その指定されたページに対応した音声データを同様にして再生することができる。
【００２９】
従って、この実施例の学習装置１によれば、学習者が本２のページを指定すると、その指定した本２のページ毎に音声が再生される。したがって、本２のページ内容を見て読みながら、かつ、このページ内容に対応した音声を聴きながら、同時に効果的に学習等をすることができる。
【００３０】
これにより、学習効果の向上が期待できる。また、ページに対応するスイッチを押すと、音源メモリ１０から該スイッチに対応した音声データが呼び出され、この音声データがスピーカを介して再生されるので、操作の簡略化が図れる。さらに、ブルートゥースを用い、外部位置に設けられた通信手段である送受信部３ａと送受信部９とをケーブルを使わずに無線で接続し、音源メモリ１０から呼び出された音声データをやり取りすることができるので、音声データのやり取りを簡単に行うことができる。
【００３１】
なお、本発明は、本発明の精神を逸脱しない限り種々の改変を為すことができ、そして、本発明が該改変されたものに及ぶことは当然である。たとえば、無線データ送信技術を使った音の出る学習装置であれば、本発明を広範に応用できる。
【図面の簡単な説明】
【００３２】
【図１】本発明に係る学習装置の一実施例をイメージ的に示す概略構成図。
【図２】本発明に係る学習装置の構成ブロック図。
【図３】本発明に係る学習装置を適用した本を閉じた状態で示す斜視図。
【図４】本発明に係る学習装置を適用した本を開いた状態で示す斜視図。
【符号の説明】
【００３３】
１      学習装置
２      本
２Ａ    冊子部
２Ｂ    音声処理部(モジュール)
３      ヘッドホーン(通信手段)
３ａ    送受信
４      表表紙
５      裏表紙
６      ページ
７      筐体
８      制御部
９      送受信部
１０    音源メモリ
１１    スイッチ部
１２    音声再生部
１３    液晶表示装置
１４    スピーカ
１５    テンキー
１６    スピーカ切換スイッチ
Ｍ      学習者
【図１】
2007017711.tif 000003
【図２】
2007017711.tif 000004
【図３】
2007017711.tif 000005
【図４】
2007017711.tif 000006